(57)【要約】【課題】  糊の跡が残らずに貼り直し可能な再剥離性粘着剤層付きラミネートフィルムを提供する。【解決手段】  内側面にホットメルト接着剤層を有する一対のフィルムを前記ホットメルト接着剤層同士を向かい合わせてその間に印刷物を挿入せしめ、加熱により互いに貼り合せてなるラミネートフィルムと、前記貼り合わせたラミネートフィルムの外側面のいずれか一方の面に設けられた再剥離性粘着剤層と、  前記再剥離性粘着剤層上に剥離可能に設けられた離型紙と、を含むようにした。【選択図】  図１
0003176977.tif 000002
【実用新案登録請求の範囲】
【請求項１】
内側面にホットメルト接着剤層を有する一対のフィルムを前記ホットメルト接着剤層同士を向かい合わせてその間に印刷物を挿入せしめ、加熱により互いに貼り合せてなるラミネートフィルムと、
前記貼り合わせたラミネートフィルムの外側面のいずれか一方の面に設けられた再剥離性粘着剤層と、
前記再剥離性粘着剤層上に剥離可能に設けられた離型紙と、
を含むことを特徴とする再剥離性粘着剤層付きラミネートフィルム。
【請求項２】
一方の面にホットメルト接着剤層を有する第一フィルムの他方の面に再剥離性粘着剤層を設け、前記再剥離性粘着剤層上に剥離可能に離型紙を設け、
一方の面にホットメルト接着剤層を有する第二フィルムと前記第一フィルムの前記ホットメルト接着剤層同士を向かい合わせてその間に印刷物を挿入せしめ、
前記第一フィルムと第二フィルムとを加熱せしめることでラミネート加工してなることを特徴とする再剥離性粘着剤層付きラミネートフィルム。
【考案の詳細な説明】
【技術分野】
【０００１】
本考案は、糊の跡が残らずに貼り直し可能な再剥離性粘着剤層付きラミネートフィルムに関する。
【背景技術】
【０００２】
従来、印刷物の破損や汚損を防止するため、印刷物を内側面にホットメルト接着剤層を有する一対のフィルムの間に挿入し前記フィルム同士をラミネーターにより熱接着したラミネートフィルムが知られている。
【０００３】
このようなラミネートフィルムは、例えば飲食店でのメニューなどによく使用されている。
【０００４】
そして、飲食店において、ラミネートフィルムに入ったメニューを壁などに貼り付けたい場合には、両面テープやセロハンテープなどを用いて貼り付けていた。
【０００５】
しかし、両面テープやセロハンテープなどを用いて貼り付けてしまうと、剥がす時に糊（接着剤）の跡が窓や壁面に残ってしまい、見栄えが悪くなり、窓や壁面に残った糊を掃除しなければならないという問題があった。
【０００６】
例えば、特許文献１には、フィルムの辺縁に平行する帯状の接着膜を設けたラミネートフィルムが開示されているが、両面テープと同様に糊が壁面に残ることになってしまう。
【先行技術文献】
【特許文献】
【０００７】
【特許文献１】登録実用新案第３１１８７３９号公報
【考案の概要】
【考案が解決しようとする課題】
【０００８】
本考案は、上記した従来技術の問題点に鑑みなされたもので、糊の跡が残らずに貼り直し可能な再剥離性粘着剤層付きラミネートフィルムを提供することを目的とする。
【課題を解決するための手段】
【０００９】
上記課題を解決するために、本考案に係る再剥離性粘着剤層付きラミネートフィルムは、内側面にホットメルト接着剤層を有する一対のフィルムを前記ホットメルト接着剤層同士を向かい合わせてその間に印刷物を挿入せしめ、加熱により互いに貼り合せてなるラミネートフィルムと、前記貼り合わせたラミネートフィルムの外側面のいずれか一方の面に設けられた再剥離性粘着剤層と、前記再剥離性粘着剤層上に剥離可能に設けられた離型紙と、を含むことを特徴とする。
【００１０】
このように、再剥離性粘着剤層が設けられているため、前記ラミネートフィルムを壁に貼り付けた際にも壁面に糊が残ることなく、きれいに剥がすことができる。また、再剥離性粘着剤層の粘着性が続く限り、何度でも貼り直しをすることも可能である。
【００１１】
なお、前記一対のフィルムとしては、前記ホットメルト接着剤層同士を向かい合わせてその間に印刷物を挿入せしめて加熱により互いに貼り合せることができればよいもので、前記フィルムがそれぞれ離れていても、それぞれの一部が接合していてもよい。
【００１２】
また、本考案に係る再剥離性粘着剤層付きラミネートフィルムは、一方の面にホットメルト接着剤層を有する第一フィルムの他方の面に再剥離性粘着剤層を設け、前記再剥離性粘着剤層上に剥離可能に離型紙を設け、一方の面にホットメルト接着剤層を有する第二フィルムと前記第一フィルムの前記ホットメルト接着剤層同士を向かい合わせてその間に印刷物を挿入せしめ、前記第一フィルムと第二フィルムとを加熱せしめることでラミネート加工してなるのが好適である。
【考案の効果】
【００１３】
本考案に係る再剥離性粘着剤層付きラミネートフィルムによれば、糊の跡が残らずに貼り直し可能な再剥離性粘着剤層付きラミネートフィルムを提供することができるという著大な効果を有する。
【図面の簡単な説明】
【００１４】
【図１】本考案に係る再剥離性粘着剤層付きラミネートフィルムを示す斜視図であり、加熱によりフィルムの一部を互いに貼り合せた状態を示す。
【図２】本考案に係る再剥離性粘着剤層付きラミネートフィルムの積層構造を示す概略図である。
【図３】ラミネート加工により、本考案に係る再剥離性粘着剤層付きラミネートフィルムとする状態を示す概略斜視図である。
【図４】本考案に係る再剥離性粘着剤層付きラミネートフィルムの離型紙を剥がす状態を示す概略斜視図である。
【図５】本考案に係る再剥離性粘着剤層付きラミネートフィルムを壁面に貼り付けた状態を示す概略図である。
【図６】本考案に係る再剥離性粘着剤層付きラミネートフィルムを壁面から剥がす状態を示す概略図であって、（ａ）が剥がしている状態、（ｂ）が剥がし終えた状態を示す。
【考案を実施するための形態】
【００１５】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００１６】
図において、符号１０は本考案の再剥離性粘着剤層付きラミネートフィルムの一つの実施の形態を示す。
【００１７】
図１によく示される如く、再剥離性粘着剤層付きラミネートフィルム１０は、内側面にホットメルト接着剤層１２，１４を有するフィルム１６，１８を、前記ホットメルト接着剤層１２，１４同士を向かい合わせてその間に印刷物２０を挿入せしめ加熱により互いに貼り合せてなるラミネートフィルム２２と、前記貼り合わせたラミネートフィルム２２の外側面のいずれか一方の面に設けられた再剥離性粘着剤層２４と、前記再剥離性粘着剤層２４上に剥離可能に設けられた離型紙２６と、を含む構造とされている。
【００１８】
再剥離性粘着剤層付きラミネートフィルム１０の積層構造をさらに図２によく示す。
【００１９】
再剥離性粘着剤層付きラミネートフィルム１０は、図２によく示される如く、一方の面にホットメルト接着剤層１２を有する第一フィルム１６の他方の面に再剥離性粘着剤層２４を設け、前記再剥離性粘着剤層２４上に剥離可能に離型紙２６を設け、一方の面にホットメルト接着剤層１４を有する第二フィルム１８と前記第一フィルム１６の前記ホットメルト接着剤層１２，１４同士を向かい合わせてその間に印刷物２０を挿入せしめ、前記第一フィルム１６と第二フィルム１８とを加熱せしめることでラミネート加工してなる構造とされている。
【００２０】
すなわち、本考案に係る再剥離性粘着剤層付きラミネートフィルム１０は、加熱により互いに貼り合わせてなるラミネートフィルム２２の外側面のいずれか一方の面に再剥離性粘着剤層２４を設けてなる。
【００２１】
図示例では、第一フィルム１６及び第二フィルム１８の材質としては、ＰＥＴ（ポリエチレンテレフタラート）のフィルムを示した。なお、ラミネート加工可能であれば、第一フィルム１６及び第二フィルム１８の材質としては、ＰＥＴ以外の材質でも適用可能である。
【００２２】
また、図示例では、ホットメルト接着剤層１２，１４としては、ＥＶＡ（エチレンビニルアセテート）系接着剤を使用した。なお、ラミネート加工可能であれば、ホットメルト接着剤層１２，１４としては、ＥＶＡ系接着剤以外のホットメルト接着剤でも適用可能である。
【００２３】
図示例では、再剥離性粘着剤層付きラミネートフィルム１０の厚さは１００μｍ程度である。
【００２４】
図示例では、再剥離性粘着剤層２４の再剥離性粘着剤としては、アクリル樹脂系粘着剤（Eternal Group社製のPressure sensitive adhesive）を使用した。本考案では、第一フィルム１６の他方の面に再剥離性粘着剤層２４を設けた後、第二フィルム１８と前記第一フィルム１６の前記ホットメルト接着剤層１２，１４同士を向かい合わせてその間に印刷物２０を挿入せしめ、前記第一フィルム１６と第二フィルム１８とを加熱せしめることでラミネート加工する。このため、再剥離性粘着剤層２４の再剥離性粘着剤としては、第一フィルム１６の他方の面に再剥離性粘着剤層２４を設けた後、ラミネート加工が可能な粘着剤であれば、溶剤系やアクリル樹脂系粘着剤以外の粘着剤でも適用可能である。
【００２５】
次に、再剥離性粘着剤層付きラミネートフィルム１０を、図３〜図６に基づいてさらに説明する。
【００２６】
図３に示すように、第一フィルム１６のホットメルト接着剤層１２と第二フィルム１８のホットメルト接着剤層１４を向かい合わせてその間に印刷物２０を挿入せしめ、ラミネーター２８の挿入口３０にまっすぐ入れる。そして、第一フィルム１６と第二フィルム１８とを加熱せしてラミネート加工する。このようにして、再剥離性粘着剤層付きラミネートフィルム１０となる。
【００２７】
再剥離性粘着剤層付きラミネートフィルム１０は、図４に示すように、離型紙２６を剥がして、再剥離性粘着剤層２４を出現させて、壁面３２などに貼り付けることができる。
【００２８】
そして、再剥離性粘着剤層付きラミネートフィルム１０を壁面３２から剥がしても、糊（接着剤）の跡が残らずにきれいに剥がすことができる。また、再剥離性粘着剤層２４の粘着性が続く限り、何度でも貼り直しをすることも可能である。
【００２９】
このように、再剥離性粘着剤層付きラミネートフィルム１０は、裏の離型紙２６を剥がして貼るだけなので、テープ類が必要なく、どこでも貼ることができる。
【００３０】
また、従来のラミネートフィルムと同様に、ラミネーター２８を使って、店舗、家庭やオフィスなどどこでも簡単にラミネート加工を行うことができ、糊漏れの心配もない。
【００３１】
再剥離性粘着剤層２４には、再剥離性粘着剤を使用しているので、壁面などに貼り付け後に剥がした際の糊残りがない。また、再剥離性粘着剤層付きラミネートフィルム１０は、透明度や平滑性において、従来のラミネートフィルムと変わらない。
【実施例】
【００３２】
以下に実施例をあげて本発明をさらに具体的に説明するが、これらの実施例は例示的に示されるもので限定的に解釈されるべきでないことはいうまでもない。
【００３３】
（実施例１）
上記した再剥離性粘着剤層付きラミネートフィルム１０を、裏の離型紙２６を剥がして窓に貼りつけた。季節は夏で、窓際の温度は３５℃であった。６ヶ月経過後、窓から再剥離性粘着剤層付きラミネートフィルム１０を剥がしたが、糊残りはなかった。
【００３４】
（比較例１）
従来のラミネートフィルムを、裏面に両面テープを貼って窓に貼りつけた。季節は夏で、窓際の温度は３５℃であった。６ヶ月経過後、窓からラミネートフィルムを剥がしたが、糊の跡がくっきりと残ってしまった。
【００３５】
実施例１及び比較例１の結果から、再剥離性粘着剤層付きラミネートフィルム１０では、夏の窓に６ヶ月以上貼り付けてから剥がしても、糊（接着剤）の跡が残らずにきれいに剥がすことができることがわかった。
【００３６】
本考案の再剥離性粘着剤層付きラミネートフィルムは、ロール状のラミネートフィルムやパウチラミネートフィルムにも勿論適用可能である。
【符号の説明】
【００３７】
１０：再剥離性粘着剤層付きラミネートフィルム、１２，１４：ホットメルト接着剤層、１６，１８：フィルム、２０：印刷物、２２：ラミネートフィルム、２４：再剥離性粘着剤層、２６：離型紙、２８：ラミネーター、３０：挿入口、３２：壁面。
【図１】
0003176977.tif 000003
【図２】
0003176977.tif 000004
【図３】
0003176977.tif 000005
【図４】
0003176977.tif 000006
【図５】
0003176977.tif 000007
【図６】
0003176977.tif 000008